(57)【要約】【課題】非平衡式圧舌咬合器を提供する。【解決手段】非平衡式圧舌咬合器は口腔内にセットして使用する。非平衡式圧舌咬合器は舌圧迫部材１０、第一咬合部材２０、第二咬合部材３０を有する。舌圧迫部材１０は舌部１に接触し、第一咬合部材２０と第二咬合部材３０はそれぞれ左側歯及び右側歯３と咬合し、しかもともに舌圧迫部材１０と連接し、第一咬合部材２０の厚みは第二咬合部材３０とは異なる。第一咬合部材２０の厚みが第二咬合部材３０と異なるため、左側歯２と右側歯３とが咬合する時、高度差を生じ、全身を貫く筋膜電位差を生じ微電流変化が起き、こうして筋膜痛を和らげる効果を達成する。【選択図】図２
2018505744.tif 000002
【特許請求の範囲】
【請求項１】
口腔内にセットする非平衡式圧舌咬合器であって、前記非平衡式圧舌咬合器は、
舌部に接触する舌圧迫部材と、
それぞれ左側歯及び右側歯に咬合を提供する第一咬合部材及び第二咬合部材と、を備え、
前記第一咬合部材及び前記第二咬合部材はともに前記舌圧迫部材と連接し、
前記第一咬合部材の厚みは、前記第二咬合部材とは異なる咬合部材からなることを特徴とする、
非平衡式圧舌咬合器。
【請求項２】
前記舌圧迫部材は、前歯に咬合を提供する前咬合区をさらに有することを特徴とする、請求項１に記載の非平衡式圧舌咬合器。
【請求項３】
前記非平衡式圧舌咬合器は、前圧迫部材をさらに有し、前記前圧迫部材は、前記前咬合区の前記舌部から離れた側に設置され、前記前歯は前記前咬合区に咬合し、前記前圧迫部材に接触することを特徴とする、請求項２に記載の非平衡式圧舌咬合器。
【請求項４】
前記第一咬合部材は、前記舌圧迫部材と連接する第一連接部、及び前記舌圧迫部材と第一間隙を開ける第一延伸咬合部を有し、前記第二咬合部材は、前記舌圧迫部材と連接する第二連接部、及び前記舌圧迫部材と第二間隙を開ける第二延伸咬合部を有することを特徴とする、請求項１に記載の非平衡式圧舌咬合器。
【請求項５】
前記第一連接部と前記第二連接部は、前記舌圧迫部材の前歯に近い一端に連接し、これにより、前記第一間隙と前記第二間隙の開口は前記前歯から離れることを特徴とする、請求項４に記載の非平衡式圧舌咬合器。
【請求項６】
前記第一連接部と前記第二連接部とは、前記舌圧迫部材の前歯から離れた一端に連接し、これにより、前記第一間隙と前記第二間隙の開口は前記前歯に近接することを特徴とする、請求項４に記載の非平衡式圧舌咬合器。
【請求項７】
前記第一咬合部材は、前記第一連接部と前記舌圧迫部材との連接位置に設置し、前記第一間隙に連通する第一緩衝凹槽をさらに有し、前記第二咬合部材は、前記第二連接部と前記舌圧迫部材との連接位置に設置し、前記第二間隙に連通する第二緩衝凹槽をさらに有することを特徴とする、請求項４に記載の非平衡式圧舌咬合器。
【請求項８】
前記舌圧迫部材は、前記舌部の方向へと延伸する第一接触フランジ、及び前記第一接触部に相対する第二接触フランジをさらに有することを特徴とする、請求項１に記載の非平衡式圧舌咬合器。
【発明の詳細な説明】
【技術分野】
【０００１】
本発明は矯正器具構造に関し、特に非平衡式圧舌咬合器に関する。
【背景技術】
【０００２】
時間の流れが速く、仕事のプレッシャーが大きいコンピューター化時代にあって、多くの人がしばしば筋肉の凝りに悩まされている。
固定された姿勢で長時間過ごし、しかも残業が多く、急かされる生活において、筋膜は異常な圧迫を受けており、これにより筋膜痛発生の確率は大幅に拡大している。
筋膜痛は生命に対する威脅とはならないが、発作が起きれば、疼痛から睡眠の質が落ち、仕事の効率が低下し、さらには生活機能に影響が及ぶ。
このような場合の一般的な治療法には、薬物投与、リハビリ、針灸、筋肉内電気刺激治療がある。
【０００３】
筋膜とは、頭から足の指まで繋がる結合組織である。
それは全身を覆い、立体的なネットワークを形成しており、筋肉、骨格、神経、血管、臓器から細胞層面までを覆っている。
体内組織に何らかの圧力や張力の変化があれば、筋膜は生体電気を発し全身に伝えるが、その速度は神経の三倍である。
針灸とマッサージは、刺激が全身に素早く伝わる原理を通して、身体部位の筋膜疼痛症状を改善するものである。
【０００４】
針灸或いは筋肉内電気刺激を利用した治療方式は、筋膜緊張の状況を確実に改善することはできるが、上述の両者はともに侵襲性の治療方法であるため、治療過程において患者は恐怖と不安を抱きやすく、失神してしまう場合さえある。
これにより、患者の治療継続の意欲は低下し、一連の治療過程を中断してしまい、治療の効果が得られないこととなってしまう。
さらに、針灸及び筋肉内電気刺激治療の施術者は、非常に専門的な技術を擁している必要があるため、医師の協力がなければ行うことはできず、治療の利便性を大きく損なっている。
【０００５】
これに対して、特許文献１の「Ｅｌｅｃｔｒｏ−ｏｐｔｉｃａｌ  ｔｉｓｓｕｅ  ｓｔｉｍｕｌａｔｏｒ  ａｎｄ  ｍｅｔｈｏｄ  ｏｆ  ｕｓｅ」は、光電気刺激装置を開示する。
それは、殼体、殼体内に設置する微電流電気刺激治療ユニット、光放射治療ユニットを有する。
使用者は、手持ち方式で、光電気刺激装置を使用し、筋膜疼痛の患部に対して、微電流電気刺激治療ユニットにより、微電流刺激療法を行い、或いは光放射治療ユニットにより光放射療法を行う。
これにより、筋膜疼痛の一連の治療過程を独立して行うことができ、專門の治療を行う必要はなくなる。
【０００６】
上述の光電気刺激装置により、使用者は筋膜疼痛の一連の治療過程を自力で行うことができるが、光電気刺激装置は、患部に対して使用する必要があるため、プライベートな使用方式に属する。
けれども、現代人は公開の場での社交活動が活発で、光電気刺激装置を長期的かつ継続的に使用して筋膜疼痛の治療を行うことができないため、予期した治療の効果が得られていない。
【先行技術文献】
【特許文献】
【０００７】
【特許文献１】米国特許第第ＵＳ８７６１８７４号明細書
【発明の概要】
【発明が解決しようとする課題】
【０００８】
前記先行技術には、予期した治療の効果が得られていない欠点がある。
【課題を解決するための手段】
【０００９】
本発明は非侵襲性の方式で、筋膜のハリを緩める効果を達成する非平衡式圧舌咬合器に関する。
【００１０】
本発明による非平衡式圧舌咬合器は、口腔内にセットして使用する。
該非平衡式圧舌咬合器は、舌圧迫部材、第一咬合部材及び第二咬合部材を有する。
該舌圧迫部材は、舌部に接触し、該第一咬合部材と該第二咬合部材は、それぞれ左側歯及び右側歯と咬合し、しかもともに該舌圧迫部材と連接する。
該第一咬合部材の厚みは、該第二咬合部材とは異なる。
【発明の効果】
【００１１】
上述の説明により明らかなように、本発明は以下の特徴を有する。
一、該舌圧迫部材を該舌部に接触するよう設置することで、口内軟組織を安定させ、該舌部が睡眠時に緩み落下することを防止し、こうして上気道筋肉の張力を高め、呼吸気流の振動を防止し、口腔軟組織を刺激し、これにより、いびき、睡眠時無呼吸症候群、気道狭窄、扁桃腺とアデノイドの炎症等の症状を改善することができる。
二、呼吸によって取り込まれる酸素は、人体フリーラジカルの供給源の一つであるが、呼吸により生じるフリーラジカルは、強烈な酸化作用を備え、人体の老化或いは病変をもたらす。そのため、該舌圧迫部材を該舌部に接触させて設置することで、口呼吸と過度の呼吸が引き起こす各種症状を改善することができる。各種症状には、アレルギー性鼻炎と喘息等各種アレルギー、眠りが浅くよく夢を見る等の睡眠障害、神経系統の疾患、胃のもたれ、逆流性食道炎等の消化管の問題、自家免疫性疾患、心血管疾患、代謝性疾患、老化による疾患、筋肉疲労や痛み、全身の原因不明の痛み、臓器と組織の細胞病変等を含む。
三、該第一咬合部材の厚みが、該第二咬合部材とは異なる構造を利用し、該左側歯と該右側歯とが咬合する時、高度差を生じ、これにより全身を貫く筋膜電位差を生じ微電流変化が起き、こうして五十肩、心臓と横隔膜の間の痛み、テニス肘、腱鞘炎、バネ指、腱炎、足裏筋膜炎、坐骨神経痛等の筋膜痛を和らげる効果を生じる。
【図面の簡単な説明】
【００１２】
【図１】本発明の立体構造模式図である。
【図２】本発明の俯視構造模式図である。
【図３Ａ】本発明の一つの使用状態の模式図である。
【図３Ｂ】本発明の一つの使用状態の模式図である。
【図４Ａ】本発明の別種の使用状態の模式図である。
【図４Ｂ】本発明の別種の使用状態の模式図である。
【発明を実施するための形態】
【００１３】
（一実施形態）
本発明に関わる詳細な説明及び技術内容を、図示を用いて以下に説明する。
図１、図２、図３Ａ、図３Ｂに示す通り、本発明による非平衡式圧舌咬合器は、口腔内にセットして使用する。
非平衡式圧舌咬合器は、舌圧迫部材１０、第一咬合部材２０、及び第二咬合部材３０を有する。
舌圧迫部材１０は、舌部１に接触し、第一咬合部材２０と第二咬合部材３０は、左側歯２及び右側歯３とそれぞれ咬合し、しかもともに舌圧迫部材１０と連接する。
第一咬合部材２０の厚みは、第二咬合部材３０とは異なる。
【００１４】
さらに説明を続ける。
第一咬合部材２０は、舌圧迫部材１０と連接する第一連接部２１、及び舌圧迫部材１０と第一間隙２４を開ける第一延伸咬合部２２をさらに有する。
第二咬合部材３０は、舌圧迫部材１０と連接する第二連接部３１、及び舌圧迫部材１０と第二間隙３４を開ける第二延伸咬合部３２を有する。
第一間隙２４及び第二間隙３４の設置により、非平衡式圧舌咬合器の第一咬合部材２０と第二咬合部材３０は幅の緩衝を備え、使用者は、非平衡式圧舌咬合器を口腔内にセットした後、使用者口腔内のほおの内側により、第一延伸咬合部２２及び第二延伸咬合部３２は、それぞれ第一間隙２４及び第二間隙３４へと圧迫し、さまざまな使用者の口腔内径の大きさにフィットする。
さらに、第一咬合部材２０、第一連接部２１と舌圧迫部材１０との連接位置に設置し、第一間隙２４に連通する第一緩衝凹槽２３をさらに有する。
第二咬合部材３０は、第二連接部３１と舌圧迫部材１０との連接位置に設置し、第二間隙３４に連通する第二緩衝凹槽３３をさらに有する。
非平衡式圧舌咬合器を口腔内にセットすると、第一間隙２４及び第二間隙３４は、口腔の圧迫を受け、縮小変形し、こうして使用者の不快を引き起こす。
しかし、第一緩衝凹槽２３及び第二緩衝凹槽３３の設置を通して、この変形状況の発生を回避でき、こうして変形により使用者の不快を招くという問題を解決する。
【００１５】
本発明はさらに、前圧迫部材４０を有する。
舌圧迫部材１０は、前咬合区１１、第一接触フランジ１２及び第二接触フランジ１３をさらに有する。
前咬合区１１は、前歯４に咬合を提供し、前圧迫部材４０は、前咬合区１１の、舌部１から離れた側に設置し、前歯４が前咬合区１１に咬合する時には、前圧迫部材４０に接触する。
これにより、非平衡式圧舌咬合器の使用時には、より安定し滑り動くことはない。
【００１６】
さらに説明を要する点は、本実施形態中では、第一連接部２１と第二連接部３１とは隣り合い、前圧迫部材４０に設置され、前咬合区１１に連接し、これにより第一間隙２４と第二間隙３４の開口は口腔内部に向かい、前圧迫部材４０の方向から離れることである。但し本発明はこれに限定されない。
第一連接部２１と第二連接部３１は、舌圧迫部材１０の前圧迫部材４０から離れた位置に連接し、これにより第一間隙２４と第二間隙３４の開口は、前圧迫部材４０に向かう。
同様に、使用者の口腔の大きさの違いに対応し、第一延伸咬合部２２及び第二延伸咬合部３２を調整する目的を達成する。
【００１７】
第一接触フランジ１２は、舌部１の方向へと延伸して形成される。
第二接触フランジ１３は、第一接触フランジ１２から離れる方向へと延伸して形成される。
図３Ａ及び図３Ｂに示す通り、本発明の一実施形態では、使用者の左側歯２が第一咬合部材２０を咬合し、右側歯３が第二咬合部材３０を咬合する時、舌圧迫部材１０の第一接触フランジ１２は、舌部１に接触する。
この時、第一咬合部材２０と第二咬合部材３０の厚みの違いにより、筋膜は電位差を生じ微電流変化が起きる。
こうして、筋膜痛を和らげる効果を達成する。
しかし、筋膜は、第一咬合部材２０と第二咬合部材３０の厚み差に適応すると、電位差を生じなくなり、筋膜痛を和らげる効果を失ってしまう。
この時には、非平衡式圧舌咬合器を裏返して使用するだけで良い。
図４Ａ及び図４Ｂに示す通り、本発明の別種の実施形態では、左側歯２は第二咬合部材３０に咬合し、右側歯３は第一咬合部材２０に咬合し、第二接触フランジ１３は舌部１に接触し、左側歯２及び右側歯３咬合時の厚みを変えることで、筋膜は再び電位差を生じ微電流変化が起きる。
こうして、再び筋膜痛を和らげる効果を発揮する。
【００１８】
上記を総合すると、本発明は以下の特徴を備える。
一、舌圧迫部材を舌部に接触して設置することで、口内軟組織を安定させ、舌部が睡眠時に緩み落下することを防止し、こうして上気道筋肉の張力を高め、呼吸気流の振動を防止し、口腔軟組織を刺激し、これによりいびき、睡眠時無呼吸症候群、気道狭窄、扁桃腺とアデノイドの炎症等の症状を改善することができる。
二、呼吸によって取り込まれる酸素は、人体フリーラジカルの供給源の一つであるが、呼吸により生じるフリーラジカルは、強烈な酸化作用を備え、人体の老化或いは病変をもたらす。そのため、舌圧迫部材を舌部に接触させて設置することで、口呼吸と過度の呼吸が引き起こす各種症状を改善することができる。各種症状には、アレルギー性鼻炎と喘息等各種アレルギー、眠りが浅くよく夢を見る等の睡眠障害、神経系統の疾患、胃のもたれ、逆流性食道炎等の消化管の問題、自家免疫性疾患、心血管疾患、代謝性疾患、老化による疾患、筋肉疲労や痛み、全身の原因不明の痛み、臓器と組織の細胞病変等を含む。
三、第一咬合部材の厚みが、第二咬合部材とは異なる構造を利用し、左側歯と右側歯とが咬合する時、高度差を生じ、全身を貫く筋膜電位差を生じ微電流変化が起きる。これによって、筋膜痛を和らげる効果を生じ、針灸、マッサージなどの体外から加える刺激とは異なり、口腔咬力は、体内から咀嚼筋を利用し全身筋膜に最大で最も頻繁で、しかも施力位置を自らコントロールできるため、左、右非平衡式の咬合落差を通して、生体電気を作り出し、筋膜を刺激し、こうしてバランスを失い、流れが悪くなっていた筋膜ネットワークを直ちに調整する。これにより、顔面、頭、肩、肩甲骨、腰、背、四肢等部位のしびれや疼痛、緊張やコリ、或いは異所性隆起を含む各種筋膜疼痛症候群を和らげることができ、身体のさまざまな部位の激痛及びその延長線上にある転移痛を改善することができる。これによりさらに、五十肩、心臓と横隔膜の間の痛み、テニス肘、腱鞘炎、バネ指、腱炎、足裏筋膜炎、坐骨神経痛等の症状を改善することができる。
四、第一延伸咬合部と舌圧迫部材とは、第一間隙を開け、及び第二延伸咬合部と舌圧迫部材とが、第二間隙を開けた設置により、第一咬合部材及び第二咬合部材内部へと収縮する緩衝を備え、これによりさまざまな使用者の口腔内径の大きさにフィットすることができる。
五、第一緩衝凹槽及び第二緩衝凹槽の設置により、第一延伸咬合部及び第二延伸咬合部が、舌圧迫部材方向へと内縮する時の変形を回避でき、変形により使用者の不快を招くという問題をさらに解決できる。
六、前圧迫部材の設置により、非平衡式圧舌咬合器を口腔内にセットした時、より安定し滑り動くことはない。
七、第一接触フランジ及び第二接触フランジの設置により、非平衡式圧舌咬合器は裏返して使用でき、これにより左側歯及び右側歯の咬合時の厚みを調整し、筋膜が厚み差に適応することによる、電位差発生の停止を回避できる。
【符号の説明】
【００１９】
１    舌部
２    左側歯
３    右側歯
４    前歯
１０  舌圧迫部材
１１  前咬合区
１２  第一接触フランジ
１３  第二接触フランジ
２０  第一咬合部材
２１  第一連接部
２２  第一延伸咬合部
２３  第一緩衝凹槽
２４  第一間隙
３０  第二咬合部材
３１  第二連接部
３２  第二延伸咬合部
３３  第二緩衝凹槽
３４  第二間隙
４０  前圧迫部材
【図１】
2018505744.tif 000003
【図２】
2018505744.tif 000004
【図３Ａ】
2018505744.tif 000005
【図３Ｂ】
2018505744.tif 000006
【図４Ａ】
2018505744.tif 000007
【図４Ｂ】
2018505744.tif 000008
【国際調査報告】
2018505744.tif 000009
2018505744.tif 000010
2018505744.tif 000011
2018505744.tif 000012
2018505744.tif 000013
2018505744.tif 000014
2018505744.tif 000015